(57)【要約】【課題】本発明は自動洗浄できるコンクリート攪拌装置を開示した。【解決手段】本発明は自動洗浄できるコンクリート攪拌装置を開示し、主体を含み、前記主体の中には攪拌チャンバが設置され、前記攪拌チャンバの右壁下端には右方に開口した出口が連通するように設置され、前記攪拌チャンバの中には攪拌装置が設置され、前記攪拌装置はコンクリートに攪拌を行え、前記攪拌装置の中には洗浄装置が設置され、前記洗浄装置は攪拌終えた後に前記攪拌チャンバの内壁と前記攪拌装置とを洗い流しで洗浄でき、本発明はコンクリートを攪拌した後に、自動的に装置を洗浄でき、有効的に装置の中に残ったコンクリートを洗浄でき、装置に水管一本を連結するだけで河から水を汲み取れ、ポンプを要らず、人力で水管を持って洗い流す必要もないため、便利である。【選択図】図１
2020203469.tif 000002
【特許請求の範囲】
【請求項１】
正面視で、主体を含み、前記主体の中には攪拌チャンバが設置され、前記攪拌チャンバの右壁下端には右方に開口した出口が連通するように設置され、前記攪拌チャンバの中には攪拌装置が設置され、前記攪拌装置はコンクリートに攪拌を行え、前記攪拌装置の中には洗浄装置が設置され、前記洗浄装置は攪拌終えた後に前記攪拌チャンバの内壁と前記攪拌装置とを洗い流しで洗浄でき、前記攪拌チャンバの下側の中間部には制御装置が設置され、前記制御装置の左右両側には昇降装置が設置され、前記昇降装置は前記攪拌装置の昇降を制御でき、それにより、攪拌終えたコンクリートを出口から排出でき、又は洗浄作業を行え、前記制御装置は前記攪拌装置の作動と、前記洗浄装置の作動と、前記昇降装置の作動とをそれぞれに制御でき、前記制御装置の後側には給水装置が設置され、本装置が洗浄作業を行う時に、まず前記洗浄装置を起動し、そして前記攪拌装置を起動する時に、前記給水装置は同期的に駆動され、前記給水装置によって水を提供し、回転しながら洗い流し、前記攪拌チャンバの内壁を洗浄し、汚水は前記出口から排出されることを特徴とする自動洗浄できるコンクリート攪拌装置。
【請求項２】
前記攪拌装置は前記攪拌チャンバの中に上下スライド可能に設置された昇降板を含み、前記昇降板の上端面の中心には中心柱が回転可能に設置され、前記中心柱の外円面には螺旋羽根が固定的に設置され、前記中心柱の下端には前記昇降板に回転可能に連結された旋転柱が固定的に設置され、前記旋転柱の中には軸貫通穴が上下貫通するように設置されていることを特徴とする請求項１に記載の自動洗浄できるコンクリート攪拌装置。
【請求項３】
前記洗浄装置は前記中心柱の中に設置され、且つ上方に開口した伸縮チャンバを含み、前記伸縮チャンバの中には伸縮棒が上下スライド可能に設置され、前記伸縮棒の中には下方に開口したネジ山チャンバが設置され、前記ネジ山チャンバの中にはネジ山柱がネジ山によって連結され、前記ネジ山柱の中には通水孔が上下貫通するように設置され、前記ネジ山チャンバの上壁には前記通水孔の中に伸びた密封管が固定的に設置され、前記密封管の中には導通孔が上下貫通するように設置され、前記ネジ山チャンバの上側には前記導通孔の上端に連通した流通チャンバが設置され、前記流通チャンバの下壁の左右両端には通路が連通するように設置され、前記通路のうち前記ネジ山チャンバから離れた側には排水口が連通するように設置され、左右両側の前記排水口の位置は非対称的であり、前記伸縮チャンバの左右両壁には前記排水口と連通できる側噴射口が連通するように設置されていることを特徴とする請求項１に記載の自動洗浄できるコンクリート攪拌装置。
【請求項４】
前記伸縮棒の上端には前記中心柱の上端と当接できる付勢板が固定的に設置され、前記付勢板の中には円形チャンバが設置され、前記円形チャンバと前記流通チャンバとの間には通口が連通するように設置され、前記円形チャンバの下壁には斜めに外部に開口した上噴射口が環状に配列し、且つ連通するように設置されていることを特徴とする請求項１に記載の自動洗浄できるコンクリート攪拌装置。
【請求項５】
前記制御装置は前記攪拌チャンバの下側の中心に設置された噛合チャンバを含み、前記旋転柱の下端は前記噛合チャンバの中に伸び、且つ前記旋転柱の下端には第一平歯付きリングが固定的に設置され、前記ネジ山柱の下端は前記軸貫通孔を貫通して前記噛合チャンバの中に伸び、且つ前記ネジ山柱の下端には第二平歯付きリングが固定的に設置され、前記噛合チャンバの下壁には平歯車が回転可能に設置され、前記噛合チャンバの右壁には制御チャンバが連通するように設置され、前記制御チャンバの下壁の中には制御モータが固定的に設置され、前記制御モータの上端には制御ネジボルトが伝動可能に連結され、前記制御チャンバの中には前記制御ネジボルトにネジ山によって連結された制御棒が上下スライド可能に設置され、前記制御棒の左端の中には動力モータが固定的に設置され、前記動力モータの上端には動力平歯車が伝動可能に連結されていることを特徴とする請求項１に記載の自動洗浄できるコンクリート攪拌装置。
【請求項６】
前記通水孔の中の下壁には継ぎ手が回転可能に設置され、前記継ぎ手の下端は前記噛合チャンバの中に伸び、且つ前記継ぎ手の下端には弾性水管が固定的に、且つ連通するように設置され、前記噛合チャンバの後壁には固定水管が固定的に設置され、前記弾性水管の下端は前記固定水管の前端に固定的に、且つ連通するように設置されていることを特徴とする請求項１に記載の自動洗浄できるコンクリート攪拌装置。
【請求項７】
前記昇降装置は前記攪拌チャンバの下壁に左右対称に、且つ連通するように設置された昇降チャンバを含み、前記昇降チャンバの中には前記昇降板の下端面に固定的に連結された昇降棒がスライド可能に設置され、前記昇降棒の中には前記昇降チャンバの下壁に回転可能に連結された昇降ネジボルトがネジ山によって連結され、前記昇降チャンバの下側にはプーリチャンバが設置され、前記昇降ネジボルトの下端は前記プーリチャンバの中に伸び、且つ前記昇降ネジボルトの下端には従動プーリが固定的に設置され、前記従動プーリの間には前記平歯車に伝動可能に連結された駆動プーリが設置され、前記従動プーリと前記駆動プーリとの間には伝動ベルトが巻き付いていることを特徴とする請求項１に記載の自動洗浄できるコンクリート攪拌装置。
【請求項８】
前記給水装置は前記噛合チャンバの後壁に連通するように設置された伝動チャンバを含み、前記伝動チャンバの中には前記第一平歯付きリングと噛み合える伝動平歯車が回転可能に設置され、前記伝動平歯車の後側には前記伝動平歯車と噛み合った従動平歯車が回転可能に設置され、前記伝動チャンバの下側には抽水チャンバが設置され、前記抽水チャンバの中には前記従動平歯車の軸心に固定的に連結された回転軸が回転可能に設置され、前記回転軸の円周面には抽水羽根が環状に配列し、且つ固定的に設置されていることを特徴とする請求項１に記載の自動洗浄できるコンクリート攪拌装置。
【請求項９】
前記固定水管は前記抽水チャンバの前側に連通するように設置され、前記抽水チャンバの後壁には入水通路が連通するように設置され、前記入水通路の上下壁には前記攪拌チャンバの下壁に連通するように設置された隔て板チャンバが貫通するように設置され、前記隔て板チャンバの中には前記昇降板の下端面に固定的に連結された隔て板がスライド可能に設置され、前記隔て板の中には前記入水通路と連通できる連通口が左右貫通するように設置されていることを特徴とする請求項１に記載の自動洗浄できるコンクリート攪拌装置。
【発明の詳細な説明】
【技術分野】
【０００１】
本発明は建設作業技術分野を取り上げ、具体的には自動洗浄できるコンクリート攪拌装置である。
【背景技術】
【０００２】
建設作業において、コンクリート攪拌装置は人力に代えてコンクリートを攪拌する工具である。しかし、攪拌器が使用終えた後に、中に残されたコンクリートが固化しないように洗浄を要り、また、コンクリートが固化してしまうと、洗浄しにくくなり、攪拌装置の後続使用に響く。さらに、一般的な攪拌器は人力で水管を持ち、内部に高圧水で洗浄する必要がある。そうすると、労働者は時間をかけて現場を片付けなければならなく、また、揚水ポンプで水を汲み出す必要もあり、極めて面倒である。本発明の装置は上記の問題を解決できる。
【先行技術文献】
【特許文献】
【０００３】
【特許文献１】中国特許出願公開第１０９８６５４５１号明細書
【発明の概要】
【発明が解決しようとする課題】
【０００４】
本発明は自動洗浄できるコンクリート攪拌装置を提供し、既存技術にある上記の欠点を解消することを目的とする。
【課題を解決するための手段】
【０００５】
本発明の自動洗浄できるコンクリート攪拌装置は、主体を含み、前記主体の中には攪拌チャンバが設置され、前記攪拌チャンバの右壁下端には右方に開口した出口が連通するように設置され、前記攪拌チャンバの中には攪拌装置が設置され、前記攪拌装置はコンクリートに攪拌を行え、前記攪拌装置の中には洗浄装置が設置され、前記洗浄装置は攪拌終えた後に前記攪拌チャンバの内壁と前記攪拌装置とを洗い流しで洗浄でき、前記攪拌チャンバの下側の中間部には制御装置が設置され、前記制御装置の左右両側には昇降装置が設置され、前記昇降装置は前記攪拌装置の昇降を制御でき、それにより、攪拌終えたコンクリートを出口から排出でき、又は洗浄作業を行え、前記制御装置は前記攪拌装置の作動と、前記洗浄装置の作動と、前記昇降装置の作動とをそれぞれに制御でき、前記制御装置の後側には給水装置が設置され、本装置が洗浄作業を行う時に、まず前記洗浄装置を起動し、そして前記攪拌装置を起動する時に、前記給水装置は同期的に駆動され、前記給水装置によって水を提供し、回転しながら洗い流し、前記攪拌チャンバの内壁を洗浄し、汚水は前記出口から排出される。
【０００６】
前記攪拌装置は前記攪拌チャンバの中に上下スライド可能に設置された昇降板を含み、前記昇降板の上端面の中心には中心柱が回転可能に設置され、前記中心柱の外円面には螺旋羽根が固定的に設置され、前記中心柱の下端には前記昇降板に回転可能に連結された旋転柱が固定的に設置され、前記旋転柱の中には軸貫通穴が上下貫通するように設置されている。
【０００７】
前記洗浄装置は前記中心柱の中に設置され、且つ上方に開口した伸縮チャンバを含み、前記伸縮チャンバの中には伸縮棒が上下スライド可能に設置され、前記伸縮棒の中には下方に開口したネジ山チャンバが設置され、前記ネジ山チャンバの中にはネジ山柱がネジ山によって連結され、前記ネジ山柱の中には通水孔が上下貫通するように設置され、前記ネジ山チャンバの上壁には前記通水孔の中に伸びた密封管が固定的に設置され、前記密封管の中には導通孔が上下貫通するように設置され、前記ネジ山チャンバの上側には前記導通孔の上端に連通した流通チャンバが設置され、前記流通チャンバの下壁の左右両端には通路が連通するように設置され、前記通路のうち前記ネジ山チャンバから離れた側には排水口が連通するように設置され、左右両側の前記排水口の位置は非対称的であり、前記伸縮チャンバの左右両壁には前記排水口と連通できる側噴射口が連通するように設置されている。
【０００８】
好適な技術プランとして、前記伸縮棒の上端には前記中心柱の上端と当接できる付勢板が固定的に設置され、前記付勢板の中には円形チャンバが設置され、前記円形チャンバと前記流通チャンバとの間には通口が連通するように設置され、前記円形チャンバの下壁には斜めに外部に開口した上噴射口が環状に配列し、且つ連通するように設置されている。
【０００９】
前記制御装置は前記攪拌チャンバの下側の中心に設置された噛合チャンバを含み、前記旋転柱の下端は前記噛合チャンバの中に伸び、且つ前記旋転柱の下端には第一平歯付きリングが固定的に設置され、前記ネジ山柱の下端は前記軸貫通孔を貫通して前記噛合チャンバの中に伸び、且つ前記ネジ山柱の下端には第二平歯付きリングが固定的に設置され、前記噛合チャンバの下壁には平歯車が回転可能に設置され、前記噛合チャンバの右壁には制御チャンバが連通するように設置され、前記制御チャンバの下壁の中には制御モータが固定的に設置され、前記制御モータの上端には制御ネジボルトが伝動可能に連結され、前記制御チャンバの中には前記制御ネジボルトにネジ山によって連結された制御棒が上下スライド可能に設置され、前記制御棒の左端の中には動力モータが固定的に設置され、前記動力モータの上端には動力平歯車が伝動可能に連結されている。
【００１０】
好適な技術プランとして、前記通水孔の中の下壁には継ぎ手が回転可能に設置され、前記継ぎ手の下端は前記噛合チャンバの中に伸び、且つ前記継ぎ手の下端には弾性水管が固定的に、且つ連通するように設置され、前記噛合チャンバの後壁には固定水管が固定的に設置され、前記弾性水管の下端は前記固定水管の前端に固定的に、且つ連通するように設置されている。
【００１１】
前記昇降装置は前記攪拌チャンバの下壁に左右対称に、且つ連通するように設置された昇降チャンバを含み、前記昇降チャンバの中には前記昇降板の下端面に固定的に連結された昇降棒がスライド可能に設置され、前記昇降棒の中には前記昇降チャンバの下壁に回転可能に連結された昇降ネジボルトがネジ山によって連結され、前記昇降チャンバの下側にはプーリチャンバが設置され、前記昇降ネジボルトの下端は前記プーリチャンバの中に伸び、且つ前記昇降ネジボルトの下端には従動プーリが固定的に設置され、前記従動プーリの間には前記平歯車に伝動可能に連結された駆動プーリが設置され、前記従動プーリと前記駆動プーリとの間には伝動ベルトが巻き付いている。
【００１２】
前記給水装置は前記噛合チャンバの後壁に連通するように設置された伝動チャンバを含み、前記伝動チャンバの中には前記第一平歯付きリングと噛み合える伝動平歯車が回転可能に設置され、前記伝動平歯車の後側には前記伝動平歯車と噛み合った従動平歯車が回転可能に設置され、前記伝動チャンバの下側には抽水チャンバが設置され、前記抽水チャンバの中には前記従動平歯車の軸心に固定的に連結された回転軸が回転可能に設置され、前記回転軸の円周面には抽水羽根が環状に配列し、且つ固定的に設置されている。
【００１３】
好適な技術プランとして、前記固定水管は前記抽水チャンバの前側に連通するように設置され、前記抽水チャンバの後壁には入水通路が連通するように設置され、前記入水通路の上下壁には前記攪拌チャンバの下壁に連通するように設置された隔て板チャンバが貫通するように設置され、前記隔て板チャンバの中には前記昇降板の下端面に固定的に連結された隔て板がスライド可能に設置され、前記隔て板の中には前記入水通路と連通できる連通口が左右貫通するように設置されている。
【発明の効果】
【００１４】
本発明のメリットは：本発明はコンクリートを攪拌した後に、自動的に装置を洗浄でき、有効的に装置の中に残ったコンクリートを洗浄でき、装置に水管一本を連結するだけで河から水を汲み取れ、ポンプを要らず、人力で水管を持って洗い流す必要もないため、便利である。
【図面の簡単な説明】
【００１５】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の自動洗浄できるコンクリート攪拌装置の全体構成略図
【図２】図２は図１におけるＡ―Ａ方向からの構成略図
【図３】図３は図１におけるＢの拡大略図
【図４】図４は図１におけるＣの拡大略図
【発明を実施するための形態】
【００１７】
本発明の自動洗浄できるコンクリート攪拌装置は、主にコンクリートの攪拌と攪拌装置の洗浄に応用し、下記に附図を合わせ、本発明についてさらなる説明を行う。
【００１８】
本発明の自動洗浄できるコンクリート攪拌装置は、主体１１を含み、前記主体１１の中には攪拌チャンバ１２が設置され、前記攪拌チャンバ１２の右壁下端には右方に開口した出口６３が連通するように設置され、前記攪拌チャンバ１２の中には攪拌装置１０１が設置され、前記攪拌装置１０１はコンクリートに攪拌を行え、前記攪拌装置１０１の中には洗浄装置１０２が設置され、前記洗浄装置１０２は攪拌終えた後に前記攪拌チャンバ１２の内壁と前記攪拌装置１０１とを洗い流しで洗浄でき、前記攪拌チャンバ１２の下側の中間部には制御装置１０３が設置され、前記制御装置１０３の左右両側には昇降装置１０４が設置され、前記昇降装置１０４は前記攪拌装置１０１の昇降を制御でき、それにより、攪拌終えたコンクリートを出口６３から排出でき、又は洗浄作業を行え、前記制御装置１０３は前記攪拌装置１０１の作動と、前記洗浄装置１０２の作動と、前記昇降装置１０４の作動とをそれぞれに制御でき、前記制御装置１０３の後側には給水装置１０５が設置され、本装置が洗浄作業を行う時に、まず前記洗浄装置１０２を起動し、そして前記攪拌装置１０１を起動する時に、前記給水装置１０５は同期的に駆動され、前記給水装置１０５によって水を提供し、回転しながら洗い流し、前記攪拌チャンバ１２の内壁を洗浄し、汚水は前記出口６３から排出される。
【００１９】
好ましくは、前記攪拌装置１０１は前記攪拌チャンバ１２の中に上下スライド可能に設置された昇降板１３を含み、前記昇降板１３の上端面の中心には中心柱１４が回転可能に設置され、前記中心柱１４の外円面には螺旋羽根１５が固定的に設置され、前記中心柱１４の下端には前記昇降板１３に回転可能に連結された旋転柱１６が固定的に設置され、前記旋転柱１６の中には軸貫通穴１７が上下貫通するように設置されている。
【００２０】
好ましくは、前記洗浄装置１０２は前記中心柱１４の中に設置され、且つ上方に開口した伸縮チャンバ１８を含み、前記伸縮チャンバ１８の中には伸縮棒１９が上下スライド可能に設置され、前記伸縮棒１９の中には下方に開口したネジ山チャンバ２０が設置され、前記ネジ山チャンバ２０の中にはネジ山柱２１がネジ山によって連結され、前記ネジ山柱２１の中には通水孔２２が上下貫通するように設置され、前記ネジ山チャンバ２０の上壁には前記通水孔２２の中に伸びた密封管２３が固定的に設置され、前記密封管２３の中には導通孔２４が上下貫通するように設置され、前記ネジ山チャンバ２０の上側には前記導通孔２４の上端に連通した流通チャンバ２５が設置され、前記流通チャンバ２５の下壁の左右両端には通路２６が連通するように設置され、前記通路２６のうち前記ネジ山チャンバ２０から離れた側には排水口２７が連通するように設置され、左右両側の前記排水口２７の位置は非対称的であり、前記伸縮チャンバ１８の左右両壁には前記排水口２７と連通できる側噴射口２８が連通するように設置されている。  
【００２１】
好ましくは、前記伸縮棒１９の上端には前記中心柱１４の上端と当接できる付勢板２９が固定的に設置され、前記付勢板２９の中には円形チャンバ３０が設置され、前記円形チャンバ３０と前記流通チャンバ２５との間には通口３１が連通するように設置され、前記円形チャンバ３０の下壁には斜めに外部に開口した上噴射口３２が環状に配列し、且つ連通するように設置されている。
【００２２】
好ましくは、前記制御装置１０３は前記攪拌チャンバ１２の下側の中心に設置された噛合チャンバ３３を含み、前記旋転柱１６の下端は前記噛合チャンバ３３の中に伸び、且つ前記旋転柱１６の下端には第一平歯付きリング３４が固定的に設置され、前記ネジ山柱２１の下端は前記軸貫通孔１７を貫通して前記噛合チャンバ３３の中に伸び、且つ前記ネジ山柱２１の下端には第二平歯付きリング３５が固定的に設置され、前記噛合チャンバ３３の下壁には平歯車３６が回転可能に設置され、前記噛合チャンバ３３の右壁には制御チャンバ３７が連通するように設置され、前記制御チャンバ３７の下壁の中には制御モータ３８が固定的に設置され、前記制御モータ３８の上端には制御ネジボルト３９が伝動可能に連結され、前記制御チャンバ３７の中には前記制御ネジボルト３９にネジ山によって連結された制御棒４０が上下スライド可能に設置され、前記制御棒４０の左端の中には動力モータ４１が固定的に設置され、前記動力モータ４１の上端には動力平歯車４２が伝動可能に連結されている。
【００２３】
好ましくは、前記通水孔２２の中の下壁には継ぎ手４３が回転可能に設置され、前記継ぎ手４３の下端は前記噛合チャンバ３３の中に伸び、且つ前記継ぎ手４３の下端には弾性水管４４が固定的に、且つ連通するように設置され、前記噛合チャンバ３３の後壁には固定水管４５が固定的に設置され、前記弾性水管４４の下端は前記固定水管４５の前端に固定的に、且つ連通するように設置されている。
【００２４】
好ましくは、前記昇降装置１０４は前記攪拌チャンバ１２の下壁に左右対称に、且つ連通するように設置された昇降チャンバ４６を含み、前記昇降チャンバ４６の中には前記昇降板１３の下端面に固定的に連結された昇降棒４７がスライド可能に設置され、前記昇降棒４７の中には前記昇降チャンバ４６の下壁に回転可能に連結された昇降ネジボルト４８がネジ山によって連結され、前記昇降チャンバ４６の下側にはプーリチャンバ４９が設置され、前記昇降ネジボルト４８の下端は前記プーリチャンバ４９の中に伸び、且つ前記昇降ネジボルト４８の下端には従動プーリ５０が固定的に設置され、前記従動プーリ５０の間には前記平歯車３６に伝動可能に連結された駆動プーリ５１が設置され、前記従動プーリ５０と前記駆動プーリ５１との間には伝動ベルト５２が巻き付いている。
【００２５】
好ましくは、前記給水装置１０５は前記噛合チャンバ３３の後壁に連通するように設置された伝動チャンバ５３を含み、前記伝動チャンバ５３の中には前記第一平歯付きリング３４と噛み合える伝動平歯車５４が回転可能に設置され、前記伝動平歯車５４の後側には前記伝動平歯車５４と噛み合った従動平歯車５５が回転可能に設置され、前記伝動チャンバ５３の下側には抽水チャンバ５６が設置され、前記抽水チャンバ５６の中には前記従動平歯車５５の軸心に固定的に連結された回転軸５７が回転可能に設置され、前記回転軸５７の円周面には抽水羽根５８が環状に配列し、且つ固定的に設置されている。
【００２６】
好ましくは、前記固定水管４５は前記抽水チャンバ５６の前側に連通するように設置され、前記抽水チャンバ５６の後壁には入水通路５９が連通するように設置され、前記入水通路５９の上下壁には前記攪拌チャンバ１２の下壁に連通するように設置された隔て板チャンバ６０が貫通するように設置され、前記隔て板チャンバ６０の中には前記昇降板１３の下端面に固定的に連結された隔て板６１がスライド可能に設置され、前記隔て板６１の中には前記入水通路５９と連通できる連通口６２が左右貫通するように設置されている。
【００２７】
下記に附図を合わせて、本発明の使用手順について詳しく説明する：
【００２８】
はじめに、昇降板１３は出口６３の上方にあり、伸縮棒１９は伸縮チャンバ１８の中に収納され、隔て板６１は入水通路５９を隔て、制御棒４０は上限界位置にあり、動力平歯車４２と第一平歯付きリング３４とは噛み合っている。
【００２９】
コンクリートを攪拌する時に、土砂と石灰とを攪拌チャンバ１２の上側から入れ、動力モータ４１を起動し、動力平歯車４２の回転を連動させ、歯車の噛み合いによって第一平歯付きリング３４は駆動されて回転し、旋転柱１６によって中心柱１４を回転連動させ、螺旋羽根１５によってコンクリートを攪拌し混ぜ、攪拌終えた後に、制御モータ３８を起動し、制御ネジボルト３９の回転を連動させ、動力平歯車４２と平歯車３６とが噛み合うまで制御棒４０はネジ山の連結によって駆動されて降下し、動力モータ４１は起動し、動力平歯車４２は歯車の噛み合いによって平歯車３６の回転を連動させ、そして駆動プーリ５１は駆動されて回転し、伝動ベルト５２によって従動プーリ５０を回転連動させ、そして昇降棒４７は駆動されて降下し、さらに昇降板１３は駆動されて出口６３の下方に降下し、この時、コンクリートは出口６３から排出され、使用できる。
【００３０】
コンクリートが排出された後、洗浄を行う時に、この時、連通口６２は入水通路５９と連通し、第一平歯付きリング３４と伝動平歯車５４とは噛み合い、この時、制御棒４０を動力平歯車４２と第二平歯付きリング３５とが噛み合うまで移動させ、動力モータ４１は起動し、動力平歯車４２は歯車の噛み合いによって第二平歯付きリング３５の回転を連動させ、そしてネジ山柱２１は駆動されて回転し、排水口２７と側噴射口２８とが連通するまで伸縮棒１９はネジ山の連結によって駆動されて上昇し、そして付勢板２９は駆動されて上昇し、この時、動力平歯車４２と第一平歯付きリングとを噛み合わせ、動力モータ４１を起動し、中心柱１４の回転を連動させ、この時、第一平歯付きリング３４は歯車の噛み合いと伝動平歯車５４の伝動とによって従動平歯車５５の回転を連動させ、回転軸５７によって抽水羽根５８は回転駆動され、そして入水通路５９の中の水を固定水管４５の中に送り、弾性水管４４と継ぎ手４３とを通過して通水孔２２の中に入り、導通孔２４を通過して流通チャンバ２５の中に入り、そして通路２６と円形チャンバ３０との中にそれぞれ入り、通路２６の中の水は排水口２７と側噴射口２８とを通過して攪拌チャンバ１２の内壁に噴出され、洗い流しで洗浄を行い、円形チャンバ３０の中の水は上噴射口３２を通過して螺旋羽根１５に噴出され、洗い流しで洗浄を行う。
【００３１】
本発明のメリットは：本発明はコンクリートを攪拌した後に、自動的に装置を洗浄でき、有効的に装置の中に残ったコンクリートを洗浄でき、装置に水管一本を連結するだけで河から水を汲み取れ、ポンプを要らず、人力で水管を持って洗い流す必要もないため、便利である。
【００３２】
以上の方法により、本分野の従業員は本発明の範囲内で作業内容に合わせて様々な変化を加えることができる。
【図１】
2020203469.tif 000003
【図２】
2020203469.tif 000004
【図３】
2020203469.tif 000005
【図４】
2020203469.tif 000006
【手続補正書】
【提出日】令和2年1月18日(2020.1.18)
【手続補正１】
【補正対象書類名】特許請求の範囲
【補正対象項目名】全文
【補正方法】変更
【補正の内容】
【特許請求の範囲】
【請求項１】
正面視で、主体を含み、前記主体の中には攪拌チャンバが設置され、前記攪拌チャンバの右壁下端には右方に開口した出口が連通するように設置され、前記攪拌チャンバの中には攪拌装置が設置され、前記攪拌装置はコンクリートに攪拌を行え、前記攪拌装置の中には洗浄装置が設置され、前記洗浄装置は攪拌終えた後に前記攪拌チャンバの内壁と前記攪拌装置とを洗い流しで洗浄でき、前記攪拌チャンバの下側の中間部には制御装置が設置され、前記制御装置の左右両側には昇降装置が設置され、前記昇降装置は前記攪拌装置の昇降を制御でき、前記昇降装置の昇降で攪拌終えたコンクリートを出口から排出でき、又は洗浄作業を行え、前記制御装置は前記攪拌装置の作動と、前記洗浄装置の作動と、前記昇降装置の作動とをそれぞれに制御でき、前記制御装置の後側には給水装置が設置され、本装置が洗浄作業を行う時に、まず前記洗浄装置を起動し、そして前記攪拌装置を起動する時に、前記給水装置は同期的に駆動され、前記給水装置によって水を提供し、前記昇降装置は回転しながら洗い流され、前記攪拌チャンバの内壁を洗浄し、汚水は前記出口から排出されることを特徴とする自動洗浄できるコンクリート攪拌装置。
【請求項２】
前記攪拌装置は前記攪拌チャンバの中に上下スライド可能に設置された昇降板を含み、前記昇降板の上端面の中心には中心柱が回転可能に設置され、前記中心柱の外円面には螺旋羽根が固定的に設置され、前記中心柱の下端には前記昇降板に回転可能に連結された旋転柱が固定的に設置され、前記旋転柱の中には軸貫通穴が上下貫通するように設置されていることを特徴とする請求項１に記載の自動洗浄できるコンクリート攪拌装置。
【請求項３】
前記洗浄装置は前記中心柱の中に設置され、且つ上方に開口した伸縮チャンバを含み、前記伸縮チャンバの中には伸縮棒が上下スライド可能に設置され、前記伸縮棒の中には下方に開口したネジ山チャンバが設置され、前記ネジ山チャンバの中にはネジ山柱がネジ山によって連結され、前記ネジ山柱の中には通水孔が上下貫通するように設置され、前記ネジ山チャンバの上壁には前記通水孔の中に伸びた密封管が固定的に設置され、前記密封管の中には導通孔が上下貫通するように設置され、前記ネジ山チャンバの上側には前記導通孔の上端に連通した流通チャンバが設置され、前記流通チャンバの下壁の左右両端には通路が連通するように設置され、前記通路のうち前記ネジ山チャンバから離れた側には排水口が連通するように設置され、左右両側の前記排水口の位置は非対称的であり、前記伸縮チャンバの左右両壁には前記排水口と連通できる側噴射口が連通するように設置されていることを特徴とする請求項２に記載の自動洗浄できるコンクリート攪拌装置。
【請求項４】
前記伸縮棒の上端には前記中心柱の上端と当接できる付勢板が固定的に設置され、前記付勢板の中には円形チャンバが設置され、前記円形チャンバと前記流通チャンバとの間には通口が連通するように設置され、前記円形チャンバの下壁には斜めに外部に開口した上噴射口が環状に配列し、且つ連通するように設置されていることを特徴とする請求項３に記載の自動洗浄できるコンクリート攪拌装置。
【請求項５】
前記制御装置は前記攪拌チャンバの下側の中心に設置された噛合チャンバを含み、前記旋転柱の下端は前記噛合チャンバの中に伸び、且つ前記旋転柱の下端には第一平歯付きリングが固定的に設置され、前記ネジ山柱の下端は前記軸貫通穴を貫通して前記噛合チャンバの中に伸び、且つ前記ネジ山柱の下端には第二平歯付きリングが固定的に設置され、前記噛合チャンバの下壁には平歯車が回転可能に設置され、前記噛合チャンバの右壁には制御チャンバが連通するように設置され、前記制御チャンバの下壁の中には制御モータが固定的に設置され、前記制御モータの上端には制御ネジボルトが伝動可能に連結され、前記制御チャンバの中には前記制御ネジボルトにネジ山によって連結された制御棒が上下スライド可能に設置され、前記制御棒の左端の中には動力モータが固定的に設置され、前記動力モータの上端には動力平歯車が伝動可能に連結されていることを特徴とする請求項３に記載の自動洗浄できるコンクリート攪拌装置。
【請求項６】
前記通水孔の中の下壁には継ぎ手が回転可能に設置され、前記継ぎ手の下端は前記噛合チャンバの中に伸び、且つ前記継ぎ手の下端には弾性水管が固定的に、且つ連通するように設置され、前記噛合チャンバの後壁には固定水管が固定的に設置され、前記弾性水管の下端は前記固定水管の前端に固定的に、且つ連通するように設置されていることを特徴とする請求項５に記載の自動洗浄できるコンクリート攪拌装置。
【請求項７】
前記昇降装置は前記攪拌チャンバの下壁に左右対称に、且つ連通するように設置された昇降チャンバを含み、前記昇降チャンバの中には前記昇降板の下端面に固定的に連結された昇降棒がスライド可能に設置され、前記昇降棒の中には前記昇降チャンバの下壁に回転可能に連結された昇降ネジボルトがネジ山によって連結され、前記昇降チャンバの下側にはプーリチャンバが設置され、前記昇降ネジボルトの下端は前記プーリチャンバの中に伸び、且つ前記昇降ネジボルトの下端には従動プーリが固定的に設置され、前記従動プーリの間には前記平歯車に伝動可能に連結された駆動プーリが設置され、前記従動プーリと前記駆動プーリとの間には伝動ベルトが巻き付いていることを特徴とする請求項５に記載の自動洗浄できるコンクリート攪拌装置。
【請求項８】
前記給水装置は前記噛合チャンバの後壁に連通するように設置された伝動チャンバを含み、前記伝動チャンバの中には前記第一平歯付きリングと噛み合える伝動平歯車が回転可能に設置され、前記伝動平歯車の後側には前記伝動平歯車と噛み合った従動平歯車が回転可能に設置され、前記伝動チャンバの下側には抽水チャンバが設置され、前記抽水チャンバの中には前記従動平歯車の軸心に固定的に連結された回転軸が回転可能に設置され、前記回転軸の円周面には抽水羽根が環状に配列し、且つ固定的に設置されていることを特徴とする請求項６に記載の自動洗浄できるコンクリート攪拌装置。
【請求項９】
前記固定水管は前記抽水チャンバの前側に連通するように設置され、前記抽水チャンバの後壁には入水通路が連通するように設置され、前記入水通路の上下壁には前記攪拌チャンバの下壁に連通するように設置された隔て板チャンバが貫通するように設置され、前記隔て板チャンバの中には前記昇降板の下端面に固定的に連結された隔て板がスライド可能に設置され、前記隔て板の中には前記入水通路と連通できる連通口が左右貫通するように設置されていることを特徴とする請求項８に記載の自動洗浄できるコンクリート攪拌装置。
【手続補正２】
【補正対象書類名】明細書
【補正対象項目名】全文
【補正方法】変更
【補正の内容】
【発明の詳細な説明】
【技術分野】
【０００１】
本発明は建設作業技術分野を取り上げ、具体的には自動洗浄できるコンクリート攪拌装置である。
【背景技術】
【０００２】
建設作業において、コンクリート攪拌装置は人力に代えてコンクリートを攪拌する工具である。しかし、攪拌器が使用終えた後に、中に残されたコンクリートが固化しないように洗浄を要り、また、コンクリートが固化してしまうと、洗浄しにくくなり、攪拌装置の後続使用に響く。さらに、一般的な攪拌器は人力で水管を持ち、内部に高圧水で洗浄する必要がある。そうすると、労働者は時間をかけて現場を片付けなければならなく、また、揚水ポンプで水を汲み出す必要もあり、極めて面倒である。本発明の装置は上記の問題を解決できる。
【先行技術文献】
【特許文献】
【０００３】
【特許文献１】中国特許出願公開第１０９８６５４５１号明細書
【発明の概要】
【発明が解決しようとする課題】
【０００４】
本発明は自動洗浄できるコンクリート攪拌装置を提供し、既存技術にある上記の欠点を解消することを目的とする。
【課題を解決するための手段】
【０００５】
本発明の自動洗浄できるコンクリート攪拌装置は、主体を含み、前記主体の中には攪拌チャンバが設置され、前記攪拌チャンバの右壁下端には右方に開口した出口が連通するように設置され、前記攪拌チャンバの中には攪拌装置が設置され、前記攪拌装置はコンクリートに攪拌を行え、前記攪拌装置の中には洗浄装置が設置され、前記洗浄装置は攪拌終えた後に前記攪拌チャンバの内壁と前記攪拌装置とを洗い流しで洗浄でき、前記攪拌チャンバの下側の中間部には制御装置が設置され、前記制御装置の左右両側には昇降装置が設置され、前記昇降装置は前記攪拌装置の昇降を制御でき、前記昇降装置の昇降で攪拌終えたコンクリートを出口から排出でき、又は洗浄作業を行え、前記制御装置は前記攪拌装置の作動と、前記洗浄装置の作動と、前記昇降装置の作動とをそれぞれに制御でき、前記制御装置の後側には給水装置が設置され、本装置が洗浄作業を行う時に、まず前記洗浄装置を起動し、そして前記攪拌装置を起動する時に、前記給水装置は同期的に駆動され、前記給水装置によって水を提供し、前記昇降装置は回転しながら洗い流され、前記攪拌チャンバの内壁を洗浄し、汚水は前記出口から排出される。
【０００６】
前記攪拌装置は前記攪拌チャンバの中に上下スライド可能に設置された昇降板を含み、前記昇降板の上端面の中心には中心柱が回転可能に設置され、前記中心柱の外円面には螺旋羽根が固定的に設置され、前記中心柱の下端には前記昇降板に回転可能に連結された旋転柱が固定的に設置され、前記旋転柱の中には軸貫通穴が上下貫通するように設置されている。
【０００７】
前記洗浄装置は前記中心柱の中に設置され、且つ上方に開口した伸縮チャンバを含み、前記伸縮チャンバの中には伸縮棒が上下スライド可能に設置され、前記伸縮棒の中には下方に開口したネジ山チャンバが設置され、前記ネジ山チャンバの中にはネジ山柱がネジ山によって連結され、前記ネジ山柱の中には通水孔が上下貫通するように設置され、前記ネジ山チャンバの上壁には前記通水孔の中に伸びた密封管が固定的に設置され、前記密封管の中には導通孔が上下貫通するように設置され、前記ネジ山チャンバの上側には前記導通孔の上端に連通した流通チャンバが設置され、前記流通チャンバの下壁の左右両端には通路が連通するように設置され、前記通路のうち前記ネジ山チャンバから離れた側には排水口が連通するように設置され、左右両側の前記排水口の位置は非対称的であり、前記伸縮チャンバの左右両壁には前記排水口と連通できる側噴射口が連通するように設置されている。
【０００８】
好適な技術プランとして、前記伸縮棒の上端には前記中心柱の上端と当接できる付勢板が固定的に設置され、前記付勢板の中には円形チャンバが設置され、前記円形チャンバと前記流通チャンバとの間には通口が連通するように設置され、前記円形チャンバの下壁には斜めに外部に開口した上噴射口が環状に配列し、且つ連通するように設置されている。
【０００９】
前記制御装置は前記攪拌チャンバの下側の中心に設置された噛合チャンバを含み、前記旋転柱の下端は前記噛合チャンバの中に伸び、且つ前記旋転柱の下端には第一平歯付きリングが固定的に設置され、前記ネジ山柱の下端は前記軸貫通穴を貫通して前記噛合チャンバの中に伸び、且つ前記ネジ山柱の下端には第二平歯付きリングが固定的に設置され、前記噛合チャンバの下壁には平歯車が回転可能に設置され、前記噛合チャンバの右壁には制御チャンバが連通するように設置され、前記制御チャンバの下壁の中には制御モータが固定的に設置され、前記制御モータの上端には制御ネジボルトが伝動可能に連結され、前記制御チャンバの中には前記制御ネジボルトにネジ山によって連結された制御棒が上下スライド可能に設置され、前記制御棒の左端の中には動力モータが固定的に設置され、前記動力モータの上端には動力平歯車が伝動可能に連結されている。
【００１０】
好適な技術プランとして、前記通水孔の中の下壁には継ぎ手が回転可能に設置され、前記継ぎ手の下端は前記噛合チャンバの中に伸び、且つ前記継ぎ手の下端には弾性水管が固定的に、且つ連通するように設置され、前記噛合チャンバの後壁には固定水管が固定的に設置され、前記弾性水管の下端は前記固定水管の前端に固定的に、且つ連通するように設置されている。
【００１１】
前記昇降装置は前記攪拌チャンバの下壁に左右対称に、且つ連通するように設置された昇降チャンバを含み、前記昇降チャンバの中には前記昇降板の下端面に固定的に連結された昇降棒がスライド可能に設置され、前記昇降棒の中には前記昇降チャンバの下壁に回転可能に連結された昇降ネジボルトがネジ山によって連結され、前記昇降チャンバの下側にはプーリチャンバが設置され、前記昇降ネジボルトの下端は前記プーリチャンバの中に伸び、且つ前記昇降ネジボルトの下端には従動プーリが固定的に設置され、前記従動プーリの間には前記平歯車に伝動可能に連結された駆動プーリが設置され、前記従動プーリと前記駆動プーリとの間には伝動ベルトが巻き付いている。
【００１２】
前記給水装置は前記噛合チャンバの後壁に連通するように設置された伝動チャンバを含み、前記伝動チャンバの中には前記第一平歯付きリングと噛み合える伝動平歯車が回転可能に設置され、前記伝動平歯車の後側には前記伝動平歯車と噛み合った従動平歯車が回転可能に設置され、前記伝動チャンバの下側には抽水チャンバが設置され、前記抽水チャンバの中には前記従動平歯車の軸心に固定的に連結された回転軸が回転可能に設置され、前記回転軸の円周面には抽水羽根が環状に配列し、且つ固定的に設置されている。
【００１３】
好適な技術プランとして、前記固定水管は前記抽水チャンバの前側に連通するように設置され、前記抽水チャンバの後壁には入水通路が連通するように設置され、前記入水通路の上下壁には前記攪拌チャンバの下壁に連通するように設置された隔て板チャンバが貫通するように設置され、前記隔て板チャンバの中には前記昇降板の下端面に固定的に連結された隔て板がスライド可能に設置され、前記隔て板の中には前記入水通路と連通できる連通口が左右貫通するように設置されている。
【発明の効果】
【００１４】
本発明のメリットは：本発明はコンクリートを攪拌した後に、自動的に装置を洗浄でき、有効的に装置の中に残ったコンクリートを洗浄でき、装置に水管一本を連結するだけで河から水を汲み取れ、ポンプを要らず、人力で水管を持って洗い流す必要もないため、便利である。
【図面の簡単な説明】
【００１５】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の自動洗浄できるコンクリート攪拌装置の全体構成略図
【図２】図２は図１におけるＡ―Ａ方向からの構成略図
【図３】図３は図１におけるＢの拡大略図
【図４】図４は図１におけるＣの拡大略図
【発明を実施するための形態】
【００１７】
本発明の自動洗浄できるコンクリート攪拌装置は、主にコンクリートの攪拌と攪拌装置の洗浄に応用し、下記に附図を合わせ、本発明についてさらなる説明を行う。
【００１８】
本発明の自動洗浄できるコンクリート攪拌装置は、主体１１を含み、前記主体１１の中には攪拌チャンバ１２が設置され、前記攪拌チャンバ１２の右壁下端には右方に開口した出口６３が連通するように設置され、前記攪拌チャンバ１２の中には攪拌装置１０１が設置され、前記攪拌装置１０１はコンクリートに攪拌を行え、前記攪拌装置１０１の中には洗浄装置１０２が設置され、前記洗浄装置１０２は攪拌終えた後に前記攪拌チャンバ１２の内壁と前記攪拌装置１０１とを洗い流しで洗浄でき、前記攪拌チャンバ１２の下側の中間部には制御装置１０３が設置され、前記制御装置１０３の左右両側には昇降装置１０４が設置され、前記昇降装置１０４は前記攪拌装置１０１の昇降を制御でき、前記攪拌装置１０１の昇降で攪拌終えたコンクリートを出口６３から排出でき、又は洗浄作業を行え、前記制御装置１０３は前記攪拌装置１０１の作動と、前記洗浄装置１０２の作動と、前記昇降装置１０４の作動とをそれぞれに制御でき、前記制御装置１０３の後側には給水装置１０５が設置され、本装置が洗浄作業を行う時に、まず前記洗浄装置１０２を起動し、そして前記攪拌装置１０１を起動する時に、前記給水装置１０５は同期的に駆動され、前記給水装置１０５によって水を提供し、前記昇降装置１０１は回転しながら洗い流され、前記攪拌チャンバ１２の内壁を洗浄し、汚水は前記出口６３から排出される。
【００１９】
好ましくは、前記攪拌装置１０１は前記攪拌チャンバ１２の中に上下スライド可能に設置された昇降板１３を含み、前記昇降板１３の上端面の中心には中心柱１４が回転可能に設置され、前記中心柱１４の外円面には螺旋羽根１５が固定的に設置され、前記中心柱１４の下端には前記昇降板１３に回転可能に連結された旋転柱１６が固定的に設置され、前記旋転柱１６の中には軸貫通穴１７が上下貫通するように設置されている。
【００２０】
好ましくは、前記洗浄装置１０２は前記中心柱１４の中に設置され、且つ上方に開口した伸縮チャンバ１８を含み、前記伸縮チャンバ１８の中には伸縮棒１９が上下スライド可能に設置され、前記伸縮棒１９の中には下方に開口したネジ山チャンバ２０が設置され、前記ネジ山チャンバ２０の中にはネジ山柱２１がネジ山によって連結され、前記ネジ山柱２１の中には通水孔２２が上下貫通するように設置され、前記ネジ山チャンバ２０の上壁には前記通水孔２２の中に伸びた密封管２３が固定的に設置され、前記密封管２３の中には導通孔２４が上下貫通するように設置され、前記ネジ山チャンバ２０の上側には前記導通孔２４の上端に連通した流通チャンバ２５が設置され、前記流通チャンバ２５の下壁の左右両端には通路２６が連通するように設置され、前記通路２６のうち前記ネジ山チャンバ２０から離れた側には排水口２７が連通するように設置され、左右両側の前記排水口２７の位置は非対称的であり、前記伸縮チャンバ１８の左右両壁には前記排水口２７と連通できる側噴射口２８が連通するように設置されている。
【００２１】
好ましくは、前記伸縮棒１９の上端には前記中心柱１４の上端と当接できる付勢板２９が固定的に設置され、前記付勢板２９の中には円形チャンバ３０が設置され、前記円形チャンバ３０と前記流通チャンバ２５との間には通口３１が連通するように設置され、前記円形チャンバ３０の下壁には斜めに外部に開口した上噴射口３２が環状に配列し、且つ連通するように設置されている。
【００２２】
好ましくは、前記制御装置１０３は前記攪拌チャンバ１２の下側の中心に設置された噛合チャンバ３３を含み、前記旋転柱１６の下端は前記噛合チャンバ３３の中に伸び、且つ前記旋転柱１６の下端には第一平歯付きリング３４が固定的に設置され、前記ネジ山柱２１の下端は前記軸貫通穴１７を貫通して前記噛合チャンバ３３の中に伸び、且つ前記ネジ山柱２１の下端には第二平歯付きリング３５が固定的に設置され、前記噛合チャンバ３３の下壁には平歯車３６が回転可能に設置され、前記噛合チャンバ３３の右壁には制御チャンバ３７が連通するように設置され、前記制御チャンバ３７の下壁の中には制御モータ３８が固定的に設置され、前記制御モータ３８の上端には制御ネジボルト３９が伝動可能に連結され、前記制御チャンバ３７の中には前記制御ネジボルト３９にネジ山によって連結された制御棒４０が上下スライド可能に設置され、前記制御棒４０の左端の中には動力モータ４１が固定的に設置され、前記動力モータ４１の上端には動力平歯車４２が伝動可能に連結されている。
【００２３】
好ましくは、前記通水孔２２の中の下壁には継ぎ手４３が回転可能に設置され、前記継ぎ手４３の下端は前記噛合チャンバ３３の中に伸び、且つ前記継ぎ手４３の下端には弾性水管４４が固定的に、且つ連通するように設置され、前記噛合チャンバ３３の後壁には固定水管４５が固定的に設置され、前記弾性水管４４の下端は前記固定水管４５の前端に固定的に、且つ連通するように設置されている。
【００２４】
好ましくは、前記昇降装置１０４は前記攪拌チャンバ１２の下壁に左右対称に、且つ連通するように設置された昇降チャンバ４６を含み、前記昇降チャンバ４６の中には前記昇降板１３の下端面に固定的に連結された昇降棒４７がスライド可能に設置され、前記昇降棒４７の中には前記昇降チャンバ４６の下壁に回転可能に連結された昇降ネジボルト４８がネジ山によって連結され、前記昇降チャンバ４６の下側にはプーリチャンバ４９が設置され、前記昇降ネジボルト４８の下端は前記プーリチャンバ４９の中に伸び、且つ前記昇降ネジボルト４８の下端には従動プーリ５０が固定的に設置され、前記従動プーリ５０の間には前記平歯車３６に伝動可能に連結された駆動プーリ５１が設置され、前記従動プーリ５０と前記駆動プーリ５１との間には伝動ベルト５２が巻き付いている。
【００２５】
好ましくは、前記給水装置１０５は前記噛合チャンバ３３の後壁に連通するように設置された伝動チャンバ５３を含み、前記伝動チャンバ５３の中には前記第一平歯付きリング３４と噛み合える伝動平歯車５４が回転可能に設置され、前記伝動平歯車５４の後側には前記伝動平歯車５４と噛み合った従動平歯車５５が回転可能に設置され、前記伝動チャンバ５３の下側には抽水チャンバ５６が設置され、前記抽水チャンバ５６の中には前記従動平歯車５５の軸心に固定的に連結された回転軸５７が回転可能に設置され、前記回転軸５７の円周面には抽水羽根５８が環状に配列し、且つ固定的に設置されている。
【００２６】
好ましくは、前記固定水管４５は前記抽水チャンバ５６の前側に連通するように設置され、前記抽水チャンバ５６の後壁には入水通路５９が連通するように設置され、前記入水通路５９の上下壁には前記攪拌チャンバ１２の下壁に連通するように設置された隔て板チャンバ６０が貫通するように設置され、前記隔て板チャンバ６０の中には前記昇降板１３の下端面に固定的に連結された隔て板６１がスライド可能に設置され、前記隔て板６１の中には前記入水通路５９と連通できる連通口６２が左右貫通するように設置されている。
【００２７】
下記に附図を合わせて、本発明の使用手順について詳しく説明する：
【００２８】
はじめに、昇降板１３は出口６３の上方にあり、伸縮棒１９は伸縮チャンバ１８の中に収納され、隔て板６１は入水通路５９を隔て、制御棒４０は上限界位置にあり、動力平歯車４２と第一平歯付きリング３４とは噛み合っている。
【００２９】
コンクリートを攪拌する時に、土砂と石灰とを攪拌チャンバ１２の上側から入れ、動力モータ４１を起動し、動力平歯車４２の回転を連動させ、歯車の噛み合いによって第一平歯付きリング３４は駆動されて回転し、旋転柱１６によって中心柱１４を回転連動させ、螺旋羽根１５によってコンクリートを攪拌し混ぜ、攪拌終えた後に、制御モータ３８を起動し、制御ネジボルト３９の回転を連動させ、動力平歯車４２と平歯車３６とが噛み合うまで制御棒４０はネジ山の連結によって駆動されて降下し、動力モータ４１は起動し、動力平歯車４２は歯車の噛み合いによって平歯車３６の回転を連動させ、そして駆動プーリ５１は駆動されて回転し、伝動ベルト５２によって従動プーリ５０を回転連動させ、そして昇降棒４７は駆動されて降下し、さらに昇降板１３は駆動されて出口６３の下方に降下し、この時、コンクリートは出口６３から排出され、使用できる。
【００３０】
コンクリートが排出された後、洗浄を行う時に、この時、連通口６２は入水通路５９と連通し、第一平歯付きリング３４と伝動平歯車５４とは噛み合い、この時、制御棒４０を動力平歯車４２と第二平歯付きリング３５とが噛み合うまで移動させ、動力モータ４１は起動し、動力平歯車４２は歯車の噛み合いによって第二平歯付きリング３５の回転を連動させ、そしてネジ山柱２１は駆動されて回転し、排水口２７と側噴射口２８とが連通するまで伸縮棒１９はネジ山の連結によって駆動されて上昇し、そして付勢板２９は駆動されて上昇し、この時、動力平歯車４２と第一平歯付きリングとを噛み合わせ、動力モータ４１を起動し、中心柱１４の回転を連動させ、この時、第一平歯付きリング３４は歯車の噛み合いと伝動平歯車５４の伝動とによって従動平歯車５５の回転を連動させ、回転軸５７によって抽水羽根５８は回転駆動され、そして入水通路５９の中の水を固定水管４５の中に送り、弾性水管４４と継ぎ手４３とを通過して通水孔２２の中に入り、導通孔２４を通過して流通チャンバ２５の中に入り、そして通路２６と円形チャンバ３０との中にそれぞれ入り、通路２６の中の水は排水口２７と側噴射口２８とを通過して攪拌チャンバ１２の内壁に噴出され、洗い流しで洗浄を行い、円形チャンバ３０の中の水は上噴射口３２を通過して螺旋羽根１５に噴出され、洗い流しで洗浄を行う。
【００３１】
本発明のメリットは：本発明はコンクリートを攪拌した後に、自動的に装置を洗浄でき、有効的に装置の中に残ったコンクリートを洗浄でき、装置に水管一本を連結するだけで河から水を汲み取れ、ポンプを要らず、人力で水管を持って洗い流す必要もないため、便利である。
【００３２】
以上の方法により、本分野の従業員は本発明の範囲内で作業内容に合わせて様々な変化を加えることができる。
【手続補正書】
【提出日】令和2年3月24日(2020.3.24)
【手続補正１】
【補正対象書類名】特許請求の範囲
【補正対象項目名】請求項１
【補正方法】変更
【補正の内容】
【請求項１】
正面視で、主体を含み、前記主体の中には攪拌チャンバが設置され、前記攪拌チャンバの右壁下端には右方に開口した出口が連通するように設置され、前記攪拌チャンバの中には攪拌装置が設置され、前記攪拌装置はコンクリートに攪拌を行え、前記攪拌装置の中には洗浄装置が設置され、前記洗浄装置は攪拌を終えた後に前記攪拌チャンバの内壁と前記攪拌装置とを洗い流しで洗浄でき、前記攪拌チャンバの下側の中間部には制御装置が設置され、前記制御装置の左右両側には昇降装置が設置され、前記昇降装置は前記攪拌装置の昇降を制御でき、前記昇降装置の昇降で攪拌を終えたコンクリートを出口から排出でき、又は洗浄作業を行え、前記制御装置は前記攪拌装置の作動と、前記洗浄装置の作動と、前記昇降装置の作動とをそれぞれに制御でき、前記制御装置の後側には給水装置が設置され、本装置が洗浄作業を行う時に、まず前記洗浄装置を起動し、そして前記攪拌装置を起動する時に、前記給水装置は同期的に駆動され、前記給水装置によって水を提供し、前記攪拌装置は回転しながら洗い流され、前記攪拌チャンバの内壁を洗浄し、汚水は前記出口から排出されることを特徴とする自動洗浄できるコンクリート攪拌装置。
【手続補正２】
【補正対象書類名】明細書
【補正対象項目名】全文
【補正方法】変更
【補正の内容】
【発明の詳細な説明】
【技術分野】
【０００１】
本発明は建設作業技術分野を取り上げ、具体的には自動洗浄できるコンクリート攪拌装置である。
【背景技術】
【０００２】
建設作業において、コンクリート攪拌装置は人力に代えてコンクリートを攪拌する工具である。しかし、攪拌器が使用終えた後に、中に残されたコンクリートが固化しないように洗浄を要り、また、コンクリートが固化してしまうと、洗浄しにくくなり、攪拌装置の後続使用に響く。さらに、一般的な攪拌器は人力で水管を持ち、内部に高圧水で洗浄する必要がある。そうすると、労働者は時間をかけて現場を片付けなければならなく、また、揚水ポンプで水を汲み出す必要もあり、極めて面倒である。本発明の装置は上記の問題を解決できる。
【先行技術文献】
【特許文献】
【０００３】
【特許文献１】中国特許出願公開第１０９８６５４５１号明細書
【発明の概要】
【発明が解決しようとする課題】
【０００４】
本発明は自動洗浄できるコンクリート攪拌装置を提供し、既存技術にある上記の欠点を解消することを目的とする。
【課題を解決するための手段】
【０００５】
本発明の自動洗浄できるコンクリート攪拌装置は、主体を含み、前記主体の中には攪拌チャンバが設置され、前記攪拌チャンバの右壁下端には右方に開口した出口が連通するように設置され、前記攪拌チャンバの中には攪拌装置が設置され、前記攪拌装置はコンクリートに攪拌を行え、前記攪拌装置の中には洗浄装置が設置され、前記洗浄装置は攪拌を終えた後に前記攪拌チャンバの内壁と前記攪拌装置とを洗い流しで洗浄でき、前記攪拌チャンバの下側の中間部には制御装置が設置され、前記制御装置の左右両側には昇降装置が設置され、前記昇降装置は前記攪拌装置の昇降を制御でき、前記昇降装置の昇降で攪拌を終えたコンクリートを出口から排出でき、又は洗浄作業を行え、前記制御装置は前記攪拌装置の作動と、前記洗浄装置の作動と、前記昇降装置の作動とをそれぞれに制御でき、前記制御装置の後側には給水装置が設置され、本装置が洗浄作業を行う時に、まず前記洗浄装置を起動し、そして前記攪拌装置を起動する時に、前記給水装置は同期的に駆動され、前記給水装置によって水を提供し、前記攪拌装置は回転しながら洗い流され、前記攪拌チャンバの内壁を洗浄し、汚水は前記出口から排出される。
【０００６】
前記攪拌装置は前記攪拌チャンバの中に上下スライド可能に設置された昇降板を含み、前記昇降板の上端面の中心には中心柱が回転可能に設置され、前記中心柱の外円面には螺旋羽根が固定的に設置され、前記中心柱の下端には前記昇降板に回転可能に連結された旋転柱が固定的に設置され、前記旋転柱の中には軸貫通穴が上下貫通するように設置されている。
【０００７】
前記洗浄装置は前記中心柱の中に設置され、且つ上方に開口した伸縮チャンバを含み、前記伸縮チャンバの中には伸縮棒が上下スライド可能に設置され、前記伸縮棒の中には下方に開口したネジ山チャンバが設置され、前記ネジ山チャンバの中にはネジ山柱がネジ山によって連結され、前記ネジ山柱の中には通水孔が上下貫通するように設置され、前記ネジ山チャンバの上壁には前記通水孔の中に伸びた密封管が固定的に設置され、前記密封管の中には導通孔が上下貫通するように設置され、前記ネジ山チャンバの上側には前記導通孔の上端に連通した流通チャンバが設置され、前記流通チャンバの下壁の左右両端には通路が連通するように設置され、前記通路のうち前記ネジ山チャンバから離れた側には排水口が連通するように設置され、左右両側の前記排水口の位置は非対称的であり、前記伸縮チャンバの左右両壁には前記排水口と連通できる側噴射口が連通するように設置されている。
【０００８】
好適な技術プランとして、前記伸縮棒の上端には前記中心柱の上端と当接できる付勢板が固定的に設置され、前記付勢板の中には円形チャンバが設置され、前記円形チャンバと前記流通チャンバとの間には通口が連通するように設置され、前記円形チャンバの下壁には斜めに外部に開口した上噴射口が環状に配列し、且つ連通するように設置されている。
【０００９】
前記制御装置は前記攪拌チャンバの下側の中心に設置された噛合チャンバを含み、前記旋転柱の下端は前記噛合チャンバの中に伸び、且つ前記旋転柱の下端には第一平歯付きリングが固定的に設置され、前記ネジ山柱の下端は前記軸貫通穴を貫通して前記噛合チャンバの中に伸び、且つ前記ネジ山柱の下端には第二平歯付きリングが固定的に設置され、前記噛合チャンバの下壁には平歯車が回転可能に設置され、前記噛合チャンバの右壁には制御チャンバが連通するように設置され、前記制御チャンバの下壁の中には制御モータが固定的に設置され、前記制御モータの上端には制御ネジボルトが伝動可能に連結され、前記制御チャンバの中には前記制御ネジボルトにネジ山によって連結された制御棒が上下スライド可能に設置され、前記制御棒の左端の中には動力モータが固定的に設置され、前記動力モータの上端には動力平歯車が伝動可能に連結されている。
【００１０】
好適な技術プランとして、前記通水孔の中の下壁には継ぎ手が回転可能に設置され、前記継ぎ手の下端は前記噛合チャンバの中に伸び、且つ前記継ぎ手の下端には弾性水管が固定的に、且つ連通するように設置され、前記噛合チャンバの後壁には固定水管が固定的に設置され、前記弾性水管の下端は前記固定水管の前端に固定的に、且つ連通するように設置されている。
【００１１】
前記昇降装置は前記攪拌チャンバの下壁に左右対称に、且つ連通するように設置された昇降チャンバを含み、前記昇降チャンバの中には前記昇降板の下端面に固定的に連結された昇降棒がスライド可能に設置され、前記昇降棒の中には前記昇降チャンバの下壁に回転可能に連結された昇降ネジボルトがネジ山によって連結され、前記昇降チャンバの下側にはプーリチャンバが設置され、前記昇降ネジボルトの下端は前記プーリチャンバの中に伸び、且つ前記昇降ネジボルトの下端には従動プーリが固定的に設置され、前記従動プーリの間には前記平歯車に伝動可能に連結された駆動プーリが設置され、前記従動プーリと前記駆動プーリとの間には伝動ベルトが巻き付いている。
【００１２】
前記給水装置は前記噛合チャンバの後壁に連通するように設置された伝動チャンバを含み、前記伝動チャンバの中には前記第一平歯付きリングと噛み合える伝動平歯車が回転可能に設置され、前記伝動平歯車の後側には前記伝動平歯車と噛み合った従動平歯車が回転可能に設置され、前記伝動チャンバの下側には抽水チャンバが設置され、前記抽水チャンバの中には前記従動平歯車の軸心に固定的に連結された回転軸が回転可能に設置され、前記回転軸の円周面には抽水羽根が環状に配列し、且つ固定的に設置されている。
【００１３】
好適な技術プランとして、前記固定水管は前記抽水チャンバの前側に連通するように設置され、前記抽水チャンバの後壁には入水通路が連通するように設置され、前記入水通路の上下壁には前記攪拌チャンバの下壁に連通するように設置された隔て板チャンバが貫通するように設置され、前記隔て板チャンバの中には前記昇降板の下端面に固定的に連結された隔て板がスライド可能に設置され、前記隔て板の中には前記入水通路と連通できる連通口が左右貫通するように設置されている。
【発明の効果】
【００１４】
本発明のメリットは：本発明はコンクリートを攪拌した後に、自動的に装置を洗浄でき、有効的に装置の中に残ったコンクリートを洗浄でき、装置に水管一本を連結するだけで河から水を汲み取れ、ポンプを要らず、人力で水管を持って洗い流す必要もないため、便利である。
【図面の簡単な説明】
【００１５】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の自動洗浄できるコンクリート攪拌装置の全体構成略図
【図２】図２は図１におけるＡ―Ａ方向からの構成略図
【図３】図３は図１におけるＢの拡大略図
【図４】図４は図１におけるＣの拡大略図
【発明を実施するための形態】
【００１７】
本発明の自動洗浄できるコンクリート攪拌装置は、主にコンクリートの攪拌と攪拌装置の洗浄に応用し、下記に附図を合わせ、本発明についてさらなる説明を行う。
【００１８】
本発明の自動洗浄できるコンクリート攪拌装置は、主体１１を含み、前記主体１１の中には攪拌チャンバ１２が設置され、前記攪拌チャンバ１２の右壁下端には右方に開口した出口６３が連通するように設置され、前記攪拌チャンバ１２の中には攪拌装置１０１が設置され、前記攪拌装置１０１はコンクリートに攪拌を行え、前記攪拌装置１０１の中には洗浄装置１０２が設置され、前記洗浄装置１０２は攪拌を終えた後に前記攪拌チャンバ１２の内壁と前記攪拌装置１０１とを洗い流しで洗浄でき、前記攪拌チャンバ１２の下側の中間部には制御装置１０３が設置され、前記制御装置１０３の左右両側には昇降装置１０４が設置され、前記昇降装置１０４は前記攪拌装置１０１の昇降を制御でき、前記攪拌装置１０１の昇降で攪拌を終えたコンクリートを出口６３から排出でき、又は洗浄作業を行え、前記制御装置１０３は前記攪拌装置１０１の作動と、前記洗浄装置１０２の作動と、前記昇降装置１０４の作動とをそれぞれに制御でき、前記制御装置１０３の後側には給水装置１０５が設置され、本装置が洗浄作業を行う時に、まず前記洗浄装置１０２を起動し、そして前記攪拌装置１０１を起動する時に、前記給水装置１０５は同期的に駆動され、前記給水装置１０５によって水を提供し、前記攪拌装置１０１は回転しながら洗い流され、前記攪拌チャンバ１２の内壁を洗浄し、汚水は前記出口６３から排出される。
【００１９】
好ましくは、前記攪拌装置１０１は前記攪拌チャンバ１２の中に上下スライド可能に設置された昇降板１３を含み、前記昇降板１３の上端面の中心には中心柱１４が回転可能に設置され、前記中心柱１４の外円面には螺旋羽根１５が固定的に設置され、前記中心柱１４の下端には前記昇降板１３に回転可能に連結された旋転柱１６が固定的に設置され、前記旋転柱１６の中には軸貫通穴１７が上下貫通するように設置されている。
【００２０】
好ましくは、前記洗浄装置１０２は前記中心柱１４の中に設置され、且つ上方に開口した伸縮チャンバ１８を含み、前記伸縮チャンバ１８の中には伸縮棒１９が上下スライド可能に設置され、前記伸縮棒１９の中には下方に開口したネジ山チャンバ２０が設置され、前記ネジ山チャンバ２０の中にはネジ山柱２１がネジ山によって連結され、前記ネジ山柱２１の中には通水孔２２が上下貫通するように設置され、前記ネジ山チャンバ２０の上壁には前記通水孔２２の中に伸びた密封管２３が固定的に設置され、前記密封管２３の中には導通孔２４が上下貫通するように設置され、前記ネジ山チャンバ２０の上側には前記導通孔２４の上端に連通した流通チャンバ２５が設置され、前記流通チャンバ２５の下壁の左右両端には通路２６が連通するように設置され、前記通路２６のうち前記ネジ山チャンバ２０から離れた側には排水口２７が連通するように設置され、左右両側の前記排水口２７の位置は非対称的であり、前記伸縮チャンバ１８の左右両壁には前記排水口２７と連通できる側噴射口２８が連通するように設置されている。
【００２１】
好ましくは、前記伸縮棒１９の上端には前記中心柱１４の上端と当接できる付勢板２９が固定的に設置され、前記付勢板２９の中には円形チャンバ３０が設置され、前記円形チャンバ３０と前記流通チャンバ２５との間には通口３１が連通するように設置され、前記円形チャンバ３０の下壁には斜めに外部に開口した上噴射口３２が環状に配列し、且つ連通するように設置されている。
【００２２】
好ましくは、前記制御装置１０３は前記攪拌チャンバ１２の下側の中心に設置された噛合チャンバ３３を含み、前記旋転柱１６の下端は前記噛合チャンバ３３の中に伸び、且つ前記旋転柱１６の下端には第一平歯付きリング３４が固定的に設置され、前記ネジ山柱２１の下端は前記軸貫通穴１７を貫通して前記噛合チャンバ３３の中に伸び、且つ前記ネジ山柱２１の下端には第二平歯付きリング３５が固定的に設置され、前記噛合チャンバ３３の下壁には平歯車３６が回転可能に設置され、前記噛合チャンバ３３の右壁には制御チャンバ３７が連通するように設置され、前記制御チャンバ３７の下壁の中には制御モータ３８が固定的に設置され、前記制御モータ３８の上端には制御ネジボルト３９が伝動可能に連結され、前記制御チャンバ３７の中には前記制御ネジボルト３９にネジ山によって連結された制御棒４０が上下スライド可能に設置され、前記制御棒４０の左端の中には動力モータ４１が固定的に設置され、前記動力モータ４１の上端には動力平歯車４２が伝動可能に連結されている。
【００２３】
好ましくは、前記通水孔２２の中の下壁には継ぎ手４３が回転可能に設置され、前記継ぎ手４３の下端は前記噛合チャンバ３３の中に伸び、且つ前記継ぎ手４３の下端には弾性水管４４が固定的に、且つ連通するように設置され、前記噛合チャンバ３３の後壁には固定水管４５が固定的に設置され、前記弾性水管４４の下端は前記固定水管４５の前端に固定的に、且つ連通するように設置されている。
【００２４】
好ましくは、前記昇降装置１０４は前記攪拌チャンバ１２の下壁に左右対称に、且つ連通するように設置された昇降チャンバ４６を含み、前記昇降チャンバ４６の中には前記昇降板１３の下端面に固定的に連結された昇降棒４７がスライド可能に設置され、前記昇降棒４７の中には前記昇降チャンバ４６の下壁に回転可能に連結された昇降ネジボルト４８がネジ山によって連結され、前記昇降チャンバ４６の下側にはプーリチャンバ４９が設置され、前記昇降ネジボルト４８の下端は前記プーリチャンバ４９の中に伸び、且つ前記昇降ネジボルト４８の下端には従動プーリ５０が固定的に設置され、前記従動プーリ５０の間には前記平歯車３６に伝動可能に連結された駆動プーリ５１が設置され、前記従動プーリ５０と前記駆動プーリ５１との間には伝動ベルト５２が巻き付いている。
【００２５】
好ましくは、前記給水装置１０５は前記噛合チャンバ３３の後壁に連通するように設置された伝動チャンバ５３を含み、前記伝動チャンバ５３の中には前記第一平歯付きリング３４と噛み合える伝動平歯車５４が回転可能に設置され、前記伝動平歯車５４の後側には前記伝動平歯車５４と噛み合った従動平歯車５５が回転可能に設置され、前記伝動チャンバ５３の下側には抽水チャンバ５６が設置され、前記抽水チャンバ５６の中には前記従動平歯車５５の軸心に固定的に連結された回転軸５７が回転可能に設置され、前記回転軸５７の円周面には抽水羽根５８が環状に配列し、且つ固定的に設置されている。
【００２６】
好ましくは、前記固定水管４５は前記抽水チャンバ５６の前側に連通するように設置され、前記抽水チャンバ５６の後壁には入水通路５９が連通するように設置され、前記入水通路５９の上下壁には前記攪拌チャンバ１２の下壁に連通するように設置された隔て板チャンバ６０が貫通するように設置され、前記隔て板チャンバ６０の中には前記昇降板１３の下端面に固定的に連結された隔て板６１がスライド可能に設置され、前記隔て板６１の中には前記入水通路５９と連通できる連通口６２が左右貫通するように設置されている。
【００２７】
下記に附図を合わせて、本発明の使用手順について詳しく説明する：
【００２８】
はじめに、昇降板１３は出口６３の上方にあり、伸縮棒１９は伸縮チャンバ１８の中に収納され、隔て板６１は入水通路５９を隔て、制御棒４０は上限界位置にあり、動力平歯車４２と第一平歯付きリング３４とは噛み合っている。
【００２９】
コンクリートを攪拌する時に、土砂と石灰とを攪拌チャンバ１２の上側から入れ、動力モータ４１を起動し、動力平歯車４２の回転を連動させ、歯車の噛み合いによって第一平歯付きリング３４は駆動されて回転し、旋転柱１６によって中心柱１４を回転連動させ、螺旋羽根１５によってコンクリートを攪拌し混ぜ、攪拌を終えた後に、制御モータ３８を起動し、制御ネジボルト３９の回転を連動させ、動力平歯車４２と平歯車３６とが噛み合うまで制御棒４０はネジ山の連結によって駆動されて降下し、動力モータ４１は起動し、動力平歯車４２は歯車の噛み合いによって平歯車３６の回転を連動させ、そして駆動プーリ５１は駆動されて回転し、伝動ベルト５２によって従動プーリ５０を回転連動させ、そして昇降棒４７は駆動されて降下し、さらに昇降板１３は駆動されて出口６３の下方に降下し、この時、コンクリートは出口６３から排出され、使用できる。
【００３０】
コンクリートが排出された後、洗浄を行う時に、この時、連通口６２は入水通路５９と連通し、第一平歯付きリング３４と伝動平歯車５４とは噛み合い、この時、制御棒４０を動力平歯車４２と第二平歯付きリング３５とが噛み合うまで移動させ、動力モータ４１は起動し、動力平歯車４２は歯車の噛み合いによって第二平歯付きリング３５の回転を連動させ、そしてネジ山柱２１は駆動されて回転し、排水口２７と側噴射口２８とが連通するまで伸縮棒１９はネジ山の連結によって駆動されて上昇し、そして付勢板２９は駆動されて上昇し、この時、動力平歯車４２と第一平歯付きリングとを噛み合わせ、動力モータ４１を起動し、中心柱１４の回転を連動させ、この時、第一平歯付きリング３４は歯車の噛み合いと伝動平歯車５４の伝動とによって従動平歯車５５の回転を連動させ、回転軸５７によって抽水羽根５８は回転駆動され、そして入水通路５９の中の水を固定水管４５の中に送り、弾性水管４４と継ぎ手４３とを通過して通水孔２２の中に入り、導通孔２４を通過して流通チャンバ２５の中に入り、そして通路２６と円形チャンバ３０との中にそれぞれ入り、通路２６の中の水は排水口２７と側噴射口２８とを通過して攪拌チャンバ１２の内壁に噴出され、洗い流しで洗浄を行い、円形チャンバ３０の中の水は上噴射口３２を通過して螺旋羽根１５に噴出され、洗い流しで洗浄を行う。
【００３１】
本発明のメリットは：本発明はコンクリートを攪拌した後に、自動的に装置を洗浄でき、有効的に装置の中に残ったコンクリートを洗浄でき、装置に水管一本を連結するだけで河から水を汲み取れ、ポンプを要らず、人力で水管を持って洗い流す必要もないため、便利である。
【００３２】
以上の方法により、本分野の従業員は本発明の範囲内で作業内容に合わせて様々な変化を加えることができる。